(57)【要約】      （修正有）【課題】名刺入れに収容した複数の名刺を一枚ずつ確実に取り出せるようにする名刺入れを提供する。【解決手段】複数枚のカード片３０を上方に設けた開口部１２から出し入れ可能に収納する収容室１１の底面部１３を手前側から奥側に片流れに傾斜させ、前記収容室１１の背面板２０上端に、前記開口部１２を開閉する蓋板１５の一辺を折り曲げ可能に連結し、前記収容室１１の前面板２３の上縁中央に凹部２４を設けたものである。また前面板２３の凹部２４に細幅の凹入溝部を設けてもよい。【選択図】図２
0003144309.tif 000002
【実用新案登録請求の範囲】
【請求項１】
複数枚のカード片（３０）を上方に設けた開口部（１２）から出し入れ可能に収納する収容室（１１）の底面部（１３）を手前側から奥側に下り勾配に傾斜させ、前記収容室（１１）の背面板（２０）上端に、前記開口部（１２）を開閉する蓋板（１５）の一辺を折り曲げ可能に連結し、前記収容室（１１）の前面板（２３）の上縁中央に凹部（２４）を設けたことを特徴とする名刺入れ。
【請求項２】
前記蓋板（１５）が、前記背面板（２０）の上端に接続する連結部（１６）と前記収容室（１１）の開口部（１２）を覆う蓋部（１７）と前記前面板（２３）に重なり合う表面部（１８）とをそれぞれ折り曲げ可能に連設し、前記表面部（１８）の裏面と前記前面板（２３）の表面とに着脱可能に接続する係止部（２６）を取付けたことを特徴とする請求項１記載の名刺入れ。  
【請求項３】
前記収容室（１１）の前面板（２３）の上縁中央に設けた曲線状に切り欠いた凹部（２４）の最下辺（２４ａ）と、背面板（２０）の上端に接続した蓋板（１５）の連結部（１６）の折曲部分（２０ａ）とが、前記収容室（１１）内に収容した最下段のカード片（３０ａ）の上端とほぼ同じ位置に設けたことを特徴とする請求項１又は２記載に名刺入れ。
【請求項４】
複数枚のカード片（３０）を上方に設けた開口部（１２）から出し入れ可能に収納する収容室（１１）の底面部（１３）を手前側から奥側に下り勾配に傾斜させ、前記収容室（１１）の背面板（２０）上端に、前記開口部（１２）を開閉するためにそれぞれ折り曲げ可能に連設した連結部（１６）と蓋部（１７）と表面部（１８）とからなる蓋板（１５）を折り曲げ可能に連結し、前記収容室（１１）の前面板（２３）の上縁中央に曲線状に切り欠いて設けた凹部（２４）の中央部から下方に向かって凹入溝部（２５）を設けたことを特徴とする名刺入れ。
【考案の詳細な説明】
【技術分野】
【０００１】
本考案は、名刺などの同一規格に裁断された複数枚のカード片を一枚ずつ確実に取り出し可能に形成した名刺入れの改良に関する。
【背景技術】
【０００２】
従来、名刺などの同一規格に裁断された複数枚のカード片を収納するいわゆる名刺入れは、皮革、合成皮革、布製または金属製など多様な素材を使用して形成したものがあり、そのいずれにおいても名刺を収納するケース部と、該ケース部を覆う蓋板部とを備えており、前記ケース部内に複数枚の名刺を入れておき、必要に応じて一枚ずつ取り出し可能に形成してある。
【０００３】
通常、名刺交換をする場合、相手を目の前にして名刺入れから自分の名刺を取り出してから差し出すことが多く、その場合スムースに名刺を取り出すことがおしゃれでスマートであると共に、相手方にも好印象を与える。しかし、通常は名刺入れに入れてある複数枚の名刺は、上辺を同じ高さに揃えて重ねて収納されており、名刺を取り出すには任意の一枚を親指と人差し指とで挟んで引き抜いている。
【０００４】
しかし、とっさの場合やあわてていると、名刺は名刺入れ内に密着して互いに接触しているため摩擦力が強く、一枚の名刺を指で挟んで取り出すことが困難である。そのため、一枚の名刺のみを取り出すには隣接する名刺と分離させなければならず、取り出すのに時間と手間がかかり、二枚や三枚の名刺を同時に取り出してしまうことがあり、どたばたした印象を相手に与えてしまう。
【０００５】
特に、冬季などの指先が乾燥していると、名刺を挟むとき指先が滑るために名刺を引き抜きにくく、引き抜くのに時間がかかり、遂には指先を舐めて湿らせてから引き抜くこともある。指先を舐めて引く抜いた名刺を手渡すことは相手に不快感を与えることになる。
【０００６】
名刺入れから名刺を一枚ずつ確実に取り出すこができるようにするため、名刺入れに名刺取り出し機構を取付けたり、指先を濡らす保水シールを取付けたものが知られている（参考文献１、２）。
【特許文献１】特開２００１−２６１０７９号
【特許文献２】特開２００３−２０５６９８号
【０００７】
前記した特開２００１−２６１０７９号は、正面立上壁に名刺を吸着させて引き上げる取出機構と使用枚数をカウントするカウンタと、後面側立上壁に名刺を押圧するばね部を取付けた構造であるため、名刺入れの構造が複雑で重く、携帯に不便である。
【０００８】
また、後者の特開２００３−２０５６９８号は、名刺を収納するケースの裏面または表面の任意箇所にスポンジなどを保水性を有するシールを貼着した名刺入れで、名刺を引き抜くときに指先をシールに押し付けて湿らせから名刺を引き抜くもので、保水性を有するシールを取付けた名刺入れは、洋服の胸ポケットやかばんに中に収容して移動中に、名刺入れが外部圧力により圧迫されたたとき、または、衝撃を加えられたときにシールに含浸させた水分が染み出るおそれがあるので携帯に不便であるなどの問題点を有している。
【考案の開示】
【考案が解決しようとする課題】
【０００９】
本考案が解決しようとする課題は、特別な機構や装置を取付けることなく、簡単な構造で名刺入れに収容した名刺を一枚一枚確実に取り出すことができ、軽量で携帯に便利な名刺入れを提供することを目的とするものである。
【課題を解決するための手段】
【００１０】
上記課題を達成するため請求項１の考案は、複数枚のカード片３０を上方に設けた開口部１２から出し入れ可能に収納する収容室１１の底面部１３を手前側から奥側に下り勾配に傾斜させ、前記収容室１１の背面板２０上端に、前記開口部１２を開閉する蓋板１５の一辺を折り曲げ可能に連結し、前記収容室１１の前面板２３の上縁中央に凹部２４を設けたことを特徴とする。また、前記蓋板１５が、前記背面板２０の上端に接続する連結部１６と前記収容室１１の開口部１２を覆う蓋部１７と前記前面板２３に重なり合う表面部１８とをそれぞれ折り曲げ可能に連設し、前記表面部１８の裏面と前記前面板２３の表面とを着脱可能に接続する係止部２６を設けてなることを特徴とする。さらには、前記収容室１１の前面板２３に設けた曲線状に切り欠いた凹部２４の最下辺２４ａと、背面板２０の上端に接続した蓋板１５の連結部１６の折曲部２０ａとが、前記収容室１１内に収容した最下段のカード片３０ａの上端とほぼ同じ位置に設けたことを特徴とする。
【００１１】
したがって、収容室１１の底面部１３を手前側から奥側に下り勾配に傾斜させて形成することにより、収容室１１内に収容される各カード片３０の上辺が手前側から奥方向に高さを違えて収容してあるため、カード片３０を取り出すときに手前側から親指と人差し指で順番に確実につまむことができる。また、各カード片３０の高さをそれぞれ違えて収容してあるため、各カード片３０の接触面積は少なくなり、手前側の名刺を親指の腹で押し上げるだけでも、簡単で確実に一枚一枚引き抜くことができるなど、名刺交換をすばやくスマートに行うことができる。
【００１２】
請求項４の考案は、複数枚のカード片３０を上方に設けた開口部１２から出し入れ可能に収納する収容室１１の底面部１３を手前側から奥側に下り勾配に傾斜させ、前記収容室１１の背面板２０上端に、前記開口部１２を開閉するためにそれぞれ折り曲げ可能に連設した連結部１６と蓋部１７と表面部１８とからなる蓋板１５を折り曲げ可能に連結し、前記収容室１１の前面板２３の上縁中央に設けた曲線状に切り欠いた凹部２４の中央部分から下方に向かって凹入溝部２５を設けたことを特徴とする。
【００１３】
したがって、収容室１１の底面部１３を手前側から奥側に下り勾配に傾斜させることにより、収容室１１内に収容される各カード片３０の上辺が手前側から奥方向に高さを違えて収容したことにより、カード片３０を取り出すときに手前側から親指と人差し指で確実に一枚ずつ摘むことができ、また、前板部２３に凹入溝部２５を設けたことにより、カード片３０の表面に当接させた指先を長い時間接触させた状態で前進させることができるので、カード片が滑ることなく確実に上方に押し出して取り出すことができるため名刺交換をすばやくスマートに行うことができる。
【考案を実施するための最良の形態】
【００１４】
本考案の実施形態を図面に基づいて説明すると、図１は本考案にかかる名刺入れの斜視図、図２は蓋板を開口した名刺入れの斜視図、図３は名刺を収納した名刺入れの中央断面図、図４は名刺の取り出し状態を示す名刺入れの中央断面図、図５は名刺入れの収容室に残った最後の一枚のカード片の収容状態を示す中央断面図、図６は前面板の凹部に凹入溝部を形成した状態の正面図である。名刺入れ１０は、皮革、合成皮革、布材または紙材などにより方形に形成され、同一規格（サイズ９２０×５５０mm）に裁断された複数枚のカード片３０（例えば、名刺）を上方に設けた開口部１２から出し入れ可能に収容する収容室１１と、該収容室の開口部１２を開閉する蓋板１５とにより形成してある。
【００１５】
前記収容室１１は、カード片３０を複数枚（好ましくは２０枚〜３０枚）収容可能な方形に形成され、底面部１３を手前側から奥方向に下り勾配に傾斜させ、背面板２０の下辺を前面板２３の下辺より長くして形成してある。前記収容室１１の底面部１３を片流れに傾斜させることにより、収容室１１内に収容した各カード片３０は自重によって下辺がそれぞれ異なる段々に収容される。したがって、各カード片３０の上辺は手前側が高く、奥方向が順に低くなるように収容されている。
【００１６】
前記収容室１１の開口部１２を開閉する蓋板１５は、背面板２０の上端に一辺を折り曲げ可能に接続した連結部１６と、開口部１２を覆う蓋部１７と、前面板２３の表面を覆う表面部１８とをそれぞれ折り曲げ可能に連設し、前記前面板２３の上縁中央に下向きに曲線状に切り欠いた凹部２４を設けてある。この凹部２４は下向きの弧状に限らず半円状でも良いし、さらにＶ字型をした形状でもよいものである。２６は面ファスナーまたはホックなどからなる雌雄一対の係止部で、該係止部の一方を前記蓋板１５の表面部１８の裏面に、他方を前記前面板２３の表面中央にそれぞれ取付け、蓋板１５が不用意に開いて開口部１２からカード片３０が脱出するのを防止している。
【００１７】
また、図５に示すごとく、前記収容室１１の前面板２３の上縁中央に設けた凹部２４の最下辺２４ａと、背面板２０の上端に接続した蓋板１５の連結部１６の折曲部分２０ａの位置を、収容室１１内に収容する最下段のカード片３０ａの上端とほぼ同じ位置に設けて開口部１２を広げたことにより、収容室１１内の最後の一枚のカード片３０ａを取り出す際、指先が収容室１１の開口部１２の周縁に当たることなく、親指と人差し指とで簡単にカード片３０ａを摘むことができる。また、前記前面板２３に設けた凹部２４を下向きに湾曲させて設けたことにより、カード片３０ａの一面に親指の腹を当てることができて、カード片３０ａを上方に押し上げやすくしてある。
【００１８】
図６に示すごとく、前記収容室１１の前面板２３の上縁中央に設けた凹部２４の中央から下方に向かって細幅の凹入溝部２５を設けることにより、カード片３０の表面に当接させた指先を前進させる場合、前記凹部２４の場合よりも長い時間接触させた状態で前進させることができるため、カード片３０が滑ることなく確実に一枚ずつ上方に押し出して取り出すことが出きるようにしてある。
【００１９】
以下、本考案の実施形態の作用について説明すると、名刺入れ１０には、複数枚のカード片３０を横長で垂直方向に重ねて収容してある。その際、カード片３０の上端は、収容室１１の底面部１３を手前側から奥方向に下り勾配に傾斜させてあるため、収容室１１内の各カード片３０は自重でそれぞれ異なる位置の段々状に収容される。そのため、カード片３０の上端は手前側が高く、奥方向が低くなるように収容され、各カード片３０が接触するカード片同士の接触する部分を少なくすることができる。したがって、カード片３０を引き抜く際の摩擦抵抗を少なくできることからスムースに引き抜くことができる。
【００２０】
さらに、収容室１１の開口部１２に被せた蓋板１５の表面部１８の裏面と、前面板２３の表面との間に設けた係止部２６で着脱可能に係止させることにより、蓋板１５が不用意に開いて収容室１１に収納してあるカード片３０の脱出を防止することができる。収容室１１内のカード片３０を取り出す場合、蓋板１５を任意角度に折り曲げて開口部１２を開くと、各カード片３０の上辺は、前面板側から背面板側に段々に低くなって収容されているため、手前側のカード片から順に取り出して使用することができる。
【００２１】
前記したごとく、名刺交換をする場合、通常、相手方を目の前にして名刺入れから自分の名刺を差し出すことが多く、その場合スムースに名刺を取り出すことがおしゃれでスマートであると共に相手方にも好印象を与えるものである。そのため、名刺入れに入れてある複数の名刺の上辺が水平方向に位置していると、とっさの場合やあわてていると、一枚のカード片のみを引き抜くためには隣接するカード片と分離させるのに時間と手間がかかり二・三枚の名刺を同時に引き抜いてしまうことがある。
【００２２】
本考案に係る名刺入れ１０を使用してカード片３０を取り出す場合、名刺入れ１０の蓋板１５の表面部１８先端を係止部２６から離脱させて任意角度に開いて開口部１２を開放し、次いで、親指と人差し指の指先で前面板２３側に位置したカード片の上端を摘んで引き出すことにより、確実に一枚のカード片３０のみを取り出すことができる。
【００２３】
収容室１１内に収容されたカード片３０は、前記したごとく、収容室１１の底面部１３を手前側から奥方向に下り勾配に傾斜させてあるため、手前側のカード片と次のカード片との上辺の位置が相違することから、手前側のカード片３０を摘んだときに次のカード片を一緒に摘むことがなく一枚のカード片のみを確実に摘んで引き抜くことができる。
【００２４】
カード片３０の引き抜きかたは、前記方法のほか、収容室１１内の各カード片は、通常の名刺のように水平方向に収容されていないので互いの当接面積が少なく、親指の腹を前面板の曲線状に切り欠いた凹部２４からカード片の表面側に軽く押し当てて上方に押し上げるだけで簡単に一番手前のカード片だけを移動させて引き抜くことができる。
【００２５】
各カード片３０は、それぞれ自重で収容室１１内に収容されているため、カード片３０の枚数が少なくなると、該カード片の上辺が底面部１３の傾斜面に合わせて低くなるが、最後の一枚のカード片の上辺は、前板部２３に設けた凹部２４の最下辺２４ａと背面板２０に接続する蓋板１５の連結部１６が折れ曲がる接続部分２０ａより上方に位置させることができるので、収容室１１内に指先を差し込むことなく最後の一枚まで確実に引き抜くことができる。
【００２６】
収容室１１の底面部１３を片流れに傾斜させたことにより、複数枚収容されたカード片３０を手前側から一枚のカード片のみを確実に摘んで引き抜くことができ、且つ、前面板２３に設けた凹部２４の下辺と、背面板２０と蓋板１５との折れ曲がり部分である接続部分２０ａをほぼ同じ位置にして開口部１２を大きく広げられるようにしたことにより、最後の一枚まで確実で引き抜くことができる。
【００２７】
さらには、図６に示すごとく、前面板２３に設けた凹部２４にさらに細幅の凹入溝部２５を設けたことにより、指先を長い時間接触させた状態で前進させることができるため、カード片３０をに一枚ずつ確実に上方に押し出して取り出すことができる。
【図面の簡単な説明】
【００２８】
【図１】本考案にかかる名刺入れの斜視図である。
【図２】蓋板を開口した名刺入れの斜視図である。
【図３】カード片を収納した名刺入れの中央断面図である。
【図４】カード片の取り出し状態を示す名刺入れの中央断面図である。
【図５】名刺入れの収容室に残った最後の一枚のカード片の収容状態を示す中央断面図である。
【図６】前面板の曲線状に切り欠いた凹部に凹入溝部を設けた状態の正面図である。
【符号の説明】
【００２９】
１０  名刺入れ
１１  収容室
１２  開口部
１３  底面部
１５  蓋板
１６  連結部
１７  蓋部
１８  表面部
２０  背面板
２３  前面板
２４  凹部
２５  凹入溝部
２６  係止部
３０  カード片
【図１】
0003144309.tif 000003
【図２】
0003144309.tif 000004
【図３】
0003144309.tif 000005
【図４】
0003144309.tif 000006
【図５】
0003144309.tif 000007
【図６】
0003144309.tif 000008